(57)【要約】【課題】ユーザーによって指示された設定値の設定が禁則に該当する場合のユーザーの利便性を向上させる情報処理システムを提供する。【解決手段】情報処理システム１００は、画像形成装置１と、モバイル端末２とを有する。画像形成装置１の装置制御部１１は、第１の設定項目に第１の設定値を設定することの指示をユーザーから受け付けた場合に、禁則定義情報３に基づいて、第１の設定値が、第１の設定項目以外のいずれかの設定項目に設定されている設定値と禁則の組み合わせになるか否かを判定する。画像形成装置１の装置送信部１１は、判定の結果が肯定的である場合に、第１の設定値が第２の設定値と禁則の組み合わせになることを示す通知をモバイル端末２へ送信する。モバイル端末２の端末制御部２１は、画像形成装置１から通知を受信した場合に、当該通知に基づく情報を表示部２４に表示させる。【選択図】図６
2016091044.tif 000002
【特許請求の範囲】
【請求項１】
ユーザーに提供する１以上の機能に関する複数の設定項目を前記ユーザーに設定させる画像形成装置と、前記画像形成装置に通信可能に接続されるモバイル端末とを有する情報処理システムであって、
前記画像形成装置が、
前記複数の設定項目のうちの２つの設定項目の設定値の組み合わせのそれぞれについて、当該組み合わせに係る２つの設定値が同時に設定し得ない禁則の組み合わせであるか否かを示す禁則定義情報を記憶する記憶部と、
前記複数の設定項目のうちの第１の設定項目に第１の設定値を設定することの第１の指示を前記ユーザーから受け付けた場合に、前記禁則定義情報に基づいて、前記第１の設定値が、前記複数の設定項目のうちの前記第１の設定項目以外のいずれかの設定項目に設定されている設定値と前記禁則の組み合わせになるか否かを判定する装置制御部と、
前記判定の結果が肯定的である場合に、第１の設定値が前記複数の設定項目のうちの前記第１の設定項目以外の第２の設定項目に設定されている第２の設定値と前記禁則の組み合わせになることを示す通知を前記モバイル端末へ送信する装置送信部と
を備え、
前記モバイル端末が、
表示部と、
前記画像形成装置から前記通知を受信した場合に、前記通知に基づく情報を前記表示部に表示させる端末制御部と
を備える、情報処理システム。
【請求項２】
前記通知に基づく情報は、前記第１の設定項目、前記第１の設定値、前記第２の設定項目、及び前記第２の設定値のそれぞれを示す情報と、前記第１の設定値と前記第２の設定値とが前記禁則の組み合わせであることを示す情報とを含む、請求項１に記載の情報処理システム。
【請求項３】
前記禁則の組み合わせには、先優先の禁則の組み合わせと、後優先の禁則の組み合わせとがあり、
前記装置制御部は、
前記第１の設定値と前記第２の設定値とが前記先優先の禁則の組み合わせになる場合、前記第１の設定項目への前記第１の設定値の設定を行わず、
前記第１の設定値と前記第２の設定値とが前記後優先の禁則の組み合わせになる場合、前記第２の設定項目の設定値を変更した後、前記第１の設定項目に前記第１の設定値を設定する、請求項１又は２に記載の情報処理システム。
【請求項４】
前記モバイル端末が、
前記通知が、前記第１の設定値と前記第２の設定値とが前記後優先の禁則の組み合わせになることを示す通知である場合において、前記第１の設定項目及び前記第２の設定項目のそれぞれの設定値を元に戻すことの第２の指示を前記ユーザーから受け付けた場合に、前記第２の指示を前記画像形成装置へ送信する端末送信部
をさらに備え、
前記記憶部は、前記複数の設定項目のうちの設定値が変更された設定項目についての変更前の設定値と変更後の設定値とを示す変更履歴情報をさらに記憶し、
前記装置制御部は、前記モバイル端末から前記第２の指示を受信した場合、前記変更履歴情報に基づいて、前記第１の設定項目の設定値を、前記第１の設定値が設定される前に前記第１の設定項目に設定されていた設定値へ戻し、前記第２の設定項目の設定値を前記第２の設定値へ戻す、請求項３に記載の情報処理システム。
【請求項５】
前記端末送信部は、前記複数の設定項目のうちの第３の設定項目の設定値を変更できない状態にすることの第３の指示を前記ユーザーから受け付けた場合、前記第３の指示を前記画像形成装置へ送信し、
前記装置制御部は、前記モバイル端末から前記第３の指示を受信した場合、前記第３の設定項目の設定値を変更できない状態にする、請求項１〜４のうちのいずれかに記載の情報処理システム。
【請求項６】
ユーザーに提供する１以上の機能に関する複数の設定項目を前記ユーザーに設定させる画像形成装置と、前記画像形成装置に通信可能に接続されるモバイル端末とを有する情報処理システムが行う情報処理方法であって、
前記画像形成装置が、
前記複数の設定項目のうちの２つの設定項目の設定値の組み合わせのそれぞれについて、当該組み合わせに係る２つの設定値が同時に設定し得ない禁則の組み合わせであるか否かを示す禁則定義情報を記憶し、
前記複数の設定項目のうちの第１の設定項目に第１の設定値を設定することの第１の指示を前記ユーザーから受け付けた場合に、前記禁則定義情報に基づいて、前記第１の設定値が、前記複数の設定項目のうちの前記第１の設定項目以外のいずれかの設定項目に設定されている設定値と前記禁則の組み合わせになるか否かを判定し、
前記判定の結果が肯定的である場合に、第１の設定値が前記複数の設定項目のうちの前記第１の設定項目以外の第２の設定項目に設定されている第２の設定値と前記禁則の組み合わせになることを示す通知を前記モバイル端末へ送信し、
前記モバイル端末が、
前記画像形成装置から前記通知を受信した場合に、前記通知に基づく情報を前記モバイル端末の表示部に表示させる、情報処理方法。
【発明の詳細な説明】
【技術分野】
【０００１】
本発明は、画像形成装置とモバイル端末とを有する情報処理システム及び当該情報処理システムが行う情報処理方法に関する。
【背景技術】
【０００２】
従来、プリンター、複合機（ＭＦＰ：Multi Function Peripheral）等の画像形成装置が知られている。画像形成装置は、１以上の機能（印刷機能、複写機能、スキャナー機能等）をユーザーに提供し、当該１以上の機能に関する複数の設定項目をユーザーに設定させる。
【０００３】
設定項目として、例えば、印刷時のカラー選択、カラーバランス調整、色相調整等がある。各設定項目には、ユーザーが選択可能な複数の設定値が設けられる。例えば、カラー選択の設定値は、フルカラーモードを示す値、白黒モードを示す値、及び自動カラーモードを示す値である。ユーザーは、カラー選択の設定値を変更することにより、フルカラーモード、白黒モード、又は自動カラーモードのいずれの印刷モードで印刷するかを選択できる。
【０００４】
このような複数の設定項目をユーザーに設定させる画像形成装置では、一般に、同時に設定し得ない２つの設定値の組み合わせ（禁則の組み合わせ）が予め定義される。そして、画像形成装置は、禁則の組み合わせになる２つの設定値が同時に設定されないようにする。
【０００５】
例えば、第１の設定項目に第１の設定値を設定することをユーザーから指示されたときに、第１の設定値を設定することが禁則に該当する場合、具体的には、第１の設定値が現在設定中の他の設定値（第２の設定値）と禁則の組み合わせになる場合、画像形成装置は、次のように処理する。すなわち、第１の設定値を設定することが先優先の禁則に該当する場合は、画像形成装置は、第１の設定値の設定を行わないようにする。また、第１の設定値を設定することが後優先の禁則に該当する場合は、画像形成装置は、第２の設定値が設定されている設定項目（第２の設定項目）の設定値を、第１の設定値と禁則の組み合わせにならない他の設定値へ変更してから、第１の設定値の設定を行う。
【０００６】
設定項目に設定される設定値の禁則に関し、例えば、特許文献１には、次のような装置が開示されている。すなわち、当該装置は、元の設定値とは競合するが他の設定項目の設定値を変更することで競合が解除される選択肢については、第１のマークを付してそのことをユーザーに通知する。また、当該装置は、他の設定項目の設定値を変更しても競合を解除できない選択肢には、第２のマークを付してそのことをユーザーに通知する。
【先行技術文献】
【特許文献】
【０００７】
【特許文献１】特開２０００−２２７８４７号公報
【発明の概要】
【発明が解決しようとする課題】
【０００８】
上述したように、第１の設定値を設定することが後優先の禁則に該当する場合、画像形成装置は、自動的に、第２の設定項目の設定値を、第１の設定値と禁則の組み合わせにならない他の設定値へ変更する。これにより、画像形成装置は、第１の設定項目に第１の設定値を設定できるようにする。画像形成装置によって自動的に行われた第２の設定項目の設定変更（設定値の変更）の内容は、ユーザーに通知される。
【０００９】
しかし、第２の設定項目の設定値（第２の設定値）が自動的に変更された場合において、ユーザーにとっては、第２の設定値が第１の設定値よりも重要な場合もある。この場合、ユーザーは、第２の設定項目の設定値を第２の設定値に戻すために、自ら画像形成装置を操作して、画像形成装置の設定状態を第１の設定値の設定を指示する前の状態に戻す必要がある。しかし、この作業は、ユーザーにとって煩雑である。
【００１０】
本発明は、上記課題に鑑みてなされたものであり、その目的は、ユーザーによって指示された設定値の設定が禁則に該当する場合のユーザーの利便性を向上させる情報処理システムを提供することにある。
【課題を解決するための手段】
【００１１】
本発明の一観点に係る情報処理システムは、画像形成装置と、モバイル端末とを有する。前記画像形成装置は、ユーザーに提供する１以上の機能に関する複数の設定項目を前記ユーザーに設定させる。前記モバイル端末は、前記画像形成装置に通信可能に接続される。前記画像形成装置が、記憶部と、装置制御部と、装置送信部とを備える。前記記憶部は、前記複数の設定項目のうちの２つの設定項目の設定値の組み合わせのそれぞれについて、当該組み合わせに係る２つの設定値が同時に設定し得ない禁則の組み合わせであるか否かを示す禁則定義情報を記憶する。前記装置制御部は、前記複数の設定項目のうちの第１の設定項目に第１の設定値を設定することの第１の指示を前記ユーザーから受け付けた場合に、前記禁則定義情報に基づいて、前記第１の設定値が、前記複数の設定項目のうちの前記第１の設定項目以外のいずれかの設定項目に設定されている設定値と前記禁則の組み合わせになるか否かを判定する。前記装置送信部は、前記判定の結果が肯定的である場合に、第１の設定値が前記複数の設定項目のうちの前記第１の設定項目以外の第２の設定項目に設定されている第２の設定値と前記禁則の組み合わせになることを示す通知を前記モバイル端末へ送信する。前記モバイル端末が、表示部と、端末制御部とを備える。前記端末制御部は、前記画像形成装置から前記通知を受信した場合に、前記通知に基づく情報を前記表示部に表示させる。
【００１２】
本発明の別の観点に係る情報処理方法は、画像形成装置とモバイル端末とを有する情報処理システムが行う方法である。前記画像形成装置は、ユーザーに提供する１以上の機能に関する複数の設定項目を前記ユーザーに設定させる。前記モバイル端末は、前記画像形成装置に通信可能に接続される。前記画像形成装置が、下記（１）、（２）及び（３）を行う。前記モバイル端末が、下記（４）を行う。
（１）前記複数の設定項目のうちの２つの設定項目の設定値の組み合わせのそれぞれについて、当該組み合わせに係る２つの設定値が同時に設定し得ない禁則の組み合わせであるか否かを示す禁則定義情報を記憶する。
（２）前記複数の設定項目のうちの第１の設定項目に第１の設定値を設定することの第１の指示を前記ユーザーから受け付けた場合に、前記禁則定義情報に基づいて、前記第１の設定値が、前記複数の設定項目のうちの前記第１の設定項目以外のいずれかの設定項目に設定されている設定値と前記禁則の組み合わせになるか否かを判定する。
（３）前記判定の結果が肯定的である場合に、第１の設定値が前記複数の設定項目のうちの前記第１の設定項目以外の第２の設定項目に設定されている第２の設定値と前記禁則の組み合わせになることを示す通知を前記モバイル端末へ送信する。
（４）前記画像形成装置から前記通知を受信した場合に、前記通知に基づく情報を前記モバイル端末の表示部に表示させる。
【発明の効果】
【００１３】
本発明によれば、ユーザーによって指示された設定値の設定が禁則に該当する場合のユーザーの利便性を向上させる情報処理システムを提供される。
【図面の簡単な説明】
【００１４】
【図１】図１は、実施形態に係る情報処理システムの一例の構成図である。
【図２】図２は、実施形態に係る画像形成装置の一例の断面図である。
【図３】図３は、実施形態に係るモバイル端末の一例の構成図である。
【図４】図４は、実施形態に係る禁則定義情報の一例の構成図である。
【図５】図５は、実施形態に係る変更履歴情報の一例の構成図である。
【図６】図６は、実施形態に係る画像形成装置が行う処理のフローチャートである。
【図７】図７は、実施形態に係るモバイル端末が行う処理のフローチャートである。
【図８】図８（ａ）は、表示画面の第１の例を示す図である。図８（ｂ）は、表示画面の第２の例を示す図である。
【図９】図９（ａ）は、表示画面の第３の例を示す図である。図９（ｂ）は、表示画面の第４の例を示す図である。
【発明を実施するための形態】
【００１５】
本発明の実施形態について、図面を参照して説明する。なお、以下に説明する実施形態は、特許請求の範囲に係る発明を限定するものではない。また、実施形態の中で説明する構成要素の全てが発明の解決手段に必須であるとは限らない。複数の図を通じて同一の符号は、同一の構成要素を示している。
【００１６】
図１は、実施形態に係る情報処理システム１００の一例の構成図である。
【００１７】
情報処理システム１００は、画像形成装置１と、モバイル端末２とを有する。画像形成装置１とモバイル端末２とは、通信可能に接続される。例えば、画像形成装置１とモバイル端末２とは、電波や赤外線等を用いた近距離無線通信で接続されてもよいし、有線で接続されてもよい。
【００１８】
画像形成装置１は、例えば複合機である。画像形成装置１は、画像形成装置１を操作するユーザー（以下、単に「ユーザー」という）に１以上の機能を提供する。画像形成装置１がユーザーに提供する機能（以下「提供機能」という）として、印刷機能、複写機能、スキャナー機能、ＦＡＸ（ファクシミリ）機能等がある。
【００１９】
画像形成装置１は、１以上の提供機能に関する複数の設定項目をユーザーに設定させる。印刷機能に関する設定項目として、カラー選択、カラーバランス調整、色相調整等がある。各設定項目には、ユーザーが選択可能な複数の設定値が設けられる。
【００２０】
カラー選択の設定値は、例えば、フルカラーモードを示す値（設定値「フルカラー」）、白黒モードを示す値（設定値「白黒」）、及び自動カラーモードを示す値（設定値「自動カラー」）である。ユーザーは、カラー選択の設定値を変更することにより、フルカラーモード、白黒モード、又は自動カラーモードのいずれの印刷モードで印刷するかを選択できる。なお、自動カラーモードとは、フルカラーモードで印刷するか又は白黒モードで印刷するかを画像形成装置１に判断させるモードである。
【００２１】
また、カラーバランス調整の設定値は、例えば、カラーバランス調整を行うことを示す値（設定値「ＯＮ」）、及びカラーバランス調整を行わないことを示す値（設定値「ＯＦＦ」）である。ユーザーは、カラーバランス調整の設定値を変更することにより、カラーバランス調整を行うか否かを選択できる。また、色相調整の設定値は、例えば、色相調整を行うことを示す値（設定値「ＯＮ」）、及び色相調整を行わないことを示す値（設定値「ＯＦＦ」）である。ユーザーは、色相調整の設定値を変更することにより、色相調整を行うか否かを選択できる。
【００２２】
モバイル端末２は、ユーザーが所有する携帯可能な装置、例えばスマートフォン又はタブレットである。モバイル端末２は、例えば、画像形成装置１の表示部よりも大きい表示部を備える。
【００２３】
図２は、実施形態に係る画像形成装置１の一例の構成図である。
【００２４】
画像形成装置１は、制御部１１（装置制御部）と、記憶部１２と、データ通信Ｉ／Ｆ（インターフェイス）部１３（装置送信部）と、操作部１４と、原稿搬送ユニット１５と、画像読取ユニット１６と、画像形成ユニット１７とを備える。記憶部１２、データ通信Ｉ／Ｆ部１３、操作部１４、原稿搬送ユニット１５、画像読取ユニット１６、及び画像形成ユニット１７は、制御部１１と通信可能に接続される。
【００２５】
操作部１４は、複数の操作キー１４１と、タッチパネル１４２とを備える。操作キー１４１は、ユーザーが画像形成装置１に対して情報を入力するためのハードキーである。操作キー１４１としては、例えば、印刷等の各種機能の実行開始を指示するためのスタートキーや、印刷部数等を入力するためのテンキーがある。タッチパネル１４２は、種々の情報を表示する表示部と、ユーザーからの入力を受け付ける受け付け部とを備える入出力装置である。
【００２６】
画像形成装置１は、操作部１４を介して、種々の指示をユーザーから受け付ける。例えば、画像形成装置１は、操作部１４を介して、複数の設定項目のうちの第１の設定項目に第１の設定値を設定することの指示（以下「第１の指示」という）をユーザーから受け付ける。
【００２７】
記憶部１２は、ＲＯＭ（Read Only Memory）と、ＲＡＭ（Random Access Memory）と、二次記憶装置とを含む。二次記憶装置は、例えば、ハードディスクやフラッシュメモリー等の不揮発性の記憶装置である。記憶部１２のＲＯＭには、制御部１１によって実行される種々のコンピュータープログラムが記憶される。制御部１１が、ＲＯＭに記憶された各種のコンピュータープログラムをＲＡＭにロードして実行することにより、制御部１１の機能が実現される。記憶部１２には、禁則定義情報３と、変更履歴情報４とが記憶される。
【００２８】
禁則定義情報３は、複数の設定項目のそれぞれの設定値について、同時に設定し得ない２つの設定値、すなわち禁則関係にある２つの設定値の組み合わせを定義した情報である。例えば、禁則定義情報３は、複数の設定項目のうちの２つの設定項目の設定値の組み合わせのそれぞれについて、当該組み合わせに係る２つの設定値が同時に設定し得ない禁則の組み合わせであるか否かを示す。
【００２９】
禁則の組み合わせには、先優先の禁則の組み合わせと、後優先の禁則の組み合わせとがある。先優先の禁則の組み合わせでは、禁則の組み合わせになる２つの設定値のうちの既に先に設定されている設定値（以下「先設定値」という）が優先的に設定される。後優先の禁則の組み合わせでは、禁則の組み合わせになる２つの設定値のうちの後から設定しようとしている設定値（以下「後設定値」）が優先的に設定される。禁則定義情報３の詳細については、図４を参照して後述する。
【００３０】
変更履歴情報４は、複数の設定項目について、それぞれの設定値の変更の履歴を示す情報である。具体的には、変更履歴情報４は、複数の設定項目のうちの設定値が変更された設定項目についての変更前の設定値と変更後の設定値とを示す。変更履歴情報４の詳細については、図５を参照して後述する。
【００３１】
制御部１１は、例えばＣＰＵ（Central Processing Unit）である。制御部１１は、画像形成装置１全体の動作を制御する。例えば、制御部１１は、画像形成ユニット１７を制御して、画像形成ユニット１７に用紙への画像の形成を行わせる。また、制御部１１は、原稿搬送ユニット１５を制御して、原稿搬送ユニット１５に原稿の搬送を行わせる。また、制御部１１は、画像読取ユニット１６を制御して、画像読取ユニット１６に原稿の画像の読み取りを行わせる。
【００３２】
本実施形態において、制御部１１は、画像形成装置１がユーザーから第１の指示を受け付けた場合、禁則定義情報３に基づいて、禁則判定を行う。ここで、禁則判定とは、第１の設定値が、複数の設定項目のうちの第１の設定項目以外のいずれかの設定項目に設定されている設定値と禁則の組み合わせになるか否かの判定である。
【００３３】
また、制御部１１は、禁則判定の結果が肯定的である場合、具体的には、第１の設定値が、複数の設定項目のうちの第１の設定項目以外の第２の設定項目に設定されている第２の設定値と禁則の組み合わせになると判定した場合、次のように処理する。すなわち、制御部１１は、第１の設定値と第２の設定値とが先優先の禁則の組み合わせになると判定した場合（第１の設定値の設定が先優先の禁則に該当する場合）、第１の設定項目への第１の設定値の設定を行わないようにする。一方、制御部１１は、第１の設定値と第２の設定値とが後優先の禁則の組み合わせになると判定した場合（第１の設定値の設定が後優先の禁則に該当する場合）、第２の設定項目の設定値を、第１の設定値と禁則の組み合わせにならない他の設定値へ変更した後、第１の設定項目に第１の設定値を設定する。
【００３４】
また、制御部１１は、画像形成装置１がモバイル端末２から第２の指示を受信した場合、変更履歴情報４に基づいて、第１の設定項目及び第２の設定項目のそれぞれの設定値を、第１の指示を受け付ける前に設定されていた元の設定値へ戻す。すなわち、制御部１１は、第１の設定項目の設定値を、第１の設定値が設定される前に第１の設定項目に設定されていた設定値へ戻す。また、制御部１１は、第２の設定項目の設定値を、第２の設定値へ戻す。ここで、第２の指示とは、第１の設定値の設定が後優先の禁則に該当した場合において、第１の設定項目及び第２の設定項目のそれぞれの設定値を元に戻すことの指示である。
【００３５】
また、制御部１１は、画像形成装置１がモバイル端末２から第３の指示を受信した場合、第３の設定項目の設定値を変更できない状態にする。ここで、第３の指示とは、複数の設定項目のうちの第３の設定項目の設定値を変更できない状態にすることの指示である。
【００３６】
データ通信Ｉ／Ｆ部１３は、モバイル端末２に接続するためのインターフェイス装置である。データ通信Ｉ／Ｆ部１３は、制御部１１の制御の下、種々の通知をモバイル端末２へ送信する。
【００３７】
例えば、データ通信Ｉ／Ｆ部１３は、制御部１１の制御の下、一の設定項目の設定値が変更された場合に、そのことを示す通知（以下「第１の通知」という）をモバイル端末２へ送信する。また、データ通信Ｉ／Ｆ部１３は、制御部１１の制御の下、禁則判定の結果が肯定的である場合に、第２の通知をモバイル端末２へ送信する。ここで、第２の通知とは、第１の設定値の設定が禁則に該当することを示す通知、具体的には、第１の設定値が第２の設定値と禁則の組み合わせになることを示す通知である。
【００３８】
図３は、実施形態に係るモバイル端末２の一例の構成図である。
【００３９】
モバイル端末２は、制御部２１（端末制御部）と、記憶部２２と、データ通信Ｉ／Ｆ部２３（端末送信部）と、入出力部２４（表示部）とを備える。記憶部２２、データ通信Ｉ／Ｆ部２３、及び入出力部２４は、制御部２１と通信可能に接続される。
【００４０】
入出力部２４は、例えば、種々の情報を表示する表示部と、ユーザーからの入力を受け付ける受け付け部とを備えるタッチパネルである。モバイル端末２は、入出力部２４を介して、種々の指示をユーザーから受け付ける。例えば、モバイル端末２は、入出力部２４を介して、第２の指示及び第３の指示をユーザーから受け付ける。
【００４１】
記憶部２２は、ＲＯＭと、ＲＡＭと、二次記憶装置とを含む。二次記憶装置は、例えば、ハードディスクやフラッシュメモリー等の不揮発性の記憶装置である。記憶部２２のＲＯＭには、制御部２１によって実行される種々のコンピュータープログラムが記憶される。制御部２１が、ＲＯＭに記憶された各種のコンピュータープログラムをＲＡＭにロードして実行することにより、制御部２１の機能が実現される。記憶部２２には、禁則定義情報５が記憶される。
【００４２】
禁則定義情報５は、画像形成装置１の記憶部１２に記憶される禁則定義情報３と同様に、複数の設定項目のそれぞれの設定値について、同時に設定し得ない２つの設定値、すなわち禁則関係にある２つの設定値の組み合わせを定義した情報である。例えば、禁則定義情報５は、複数の設定項目のうちの２つの設定項目の設定値の組み合わせのそれぞれについて、当該組み合わせに係る２つの設定値が同時に設定し得ない禁則の組み合わせであるか否かを示す。本実施形態において、禁則定義情報５は、画像形成装置１の記憶部１２に記憶される禁則定義情報３と同様の構成を有する。
【００４３】
制御部２１は、例えばＣＰＵである。制御部２１は、モバイル端末２全体の動作を制御する。例えば、制御部２１は、モバイル端末２が画像形成装置１から第２の通知を受信した場合、第２の通知に基づく情報を入出力部２４に表示させる。第２の通知に基づく情報は、例えば、第１の設定項目、第１の設定値、第２の設定項目、及び第２の設定値のそれぞれを示す情報と、第１の設定値と第２の設定値とが禁則の組み合わせであることを示す情報とを含む。
【００４４】
データ通信Ｉ／Ｆ部２３は、画像形成装置１に接続するためのインターフェイス装置である。データ通信Ｉ／Ｆ部２３は、制御部２１の制御の下、種々の指示を画像形成装置１へ送信する。
【００４５】
例えば、第２の通知が、第１の設定値の設定が後優先の禁則に該当することを示す通知である場合において、モバイル端末２が第２の指示をユーザーから受け付けた場合、データ通信Ｉ／Ｆ部２３は、制御部２１の制御の下、当該第２の指示を画像形成装置１へ送信する。また、モバイル端末２が第３の指示をユーザーから受け付けた場合、データ通信Ｉ／Ｆ部２３は、制御部２１の制御の下、当該第３の指示を画像形成装置１へ送信する。
【００４６】
図４は、実施形態に係る禁則定義情報３の一例の構成図である。
【００４７】
禁則定義情報３は、複数の設定項目のうちの２つの設定項目の設定値の組み合わせのそれぞれについて、禁則の組み合わせであるか否かを示すデータが格納されるフィールド３１を含む。
【００４８】
本実施形態において、一のフィールド３１に対応する２つの設定値３２、３３（先設定値３２、後設定値３３）の組み合わせが禁則の組み合わせでない場合、当該フィールド３１には、ＮＵＬＬデータ（値が格納されていないことを示すデータ）が格納される（図面上は空白である）。一方、一のフィールド３１に対応する２つの設定値３２、３３の組み合わせが禁則の組み合わせである場合、当該フィールド３１には、そのことを示すデータ、本実施形態では「△」又は「×」が格納される。
【００４９】
データ「△」は、２つの設定値３２、３３の組み合わせが後優先の禁則の組み合わせであることを示している。すなわち、データ「△」は、２つの設定値３２、３３のうちの後設定値３３が優先的に設定されることを示している。一方、データ「×」は、２つの設定値３２、３３の組み合わせが先優先の禁則の組み合わせであることを示している。すなわち、データ「×」は、２つの設定値３２、３３のうちの先設定値３２が優先的に設定されることを示している。
【００５０】
例えば、図４に示す禁則定義情報３は、先設定値３２としてのカラーバランス調整の設定値「ＯＮ」と、後設定値３３としてのカラー選択の設定値「白黒」とが、後優先の禁則の組み合わせであることを示している。従って、当該禁則定義情報３が採用される場合、カラーバランス調整に設定値「ＯＮ」が設定されている状態でカラー選択に設定値「白黒」を設定することが指示されたときは、カラー選択への設定値「白黒」の設定が優先的に行われる。このとき、カラーバランス調整の設定値は、設定値「ＯＮ」以外の設定値、すなわち設定値「ＯＦＦ」へ変更される。
【００５１】
逆に、図４に示す禁則定義情報３は、先設定値３２としてのカラー選択の設定値「白黒」と、後設定値３３としてのカラーバランス調整の設定値「ＯＮ」とが、先優先の禁則の組み合わせであることを示している。従って、当該禁則定義情報３が採用される場合、カラー選択に設定値「白黒」が設定されている状態でカラーバランス調整に設定値「ＯＮ」を設定することが指示されたときは、カラー選択の設定値「白黒」が優先され、その設定が継続される。従って、このときは、カラー選択への設定値「白黒」の設定は、行われない。
【００５２】
本実施形態では、禁則定義情報３によって定義される複数の禁則の組み合わせのそれぞれには、当該禁則の組み合わせを一意に特定し得る識別番号（以下「禁則識別番号」という）が付与される。識別番号は、例えば、第２の通知に含められる。モバイル端末２は、第２の通知に含まれる禁則識別番号と、記憶部２２に記憶されている禁則定義情報５とに基づいて、第２の通知が示す禁則の内容、すなわち先設定値３２及び後設定値３３を特定する。
【００５３】
なお、図４に示す禁則定義情報３は、同一の設定項目の２つの設定値の組み合わせのそれぞれについてもフィールド３１を含む。本実施形態において、一の設定項目には一の設定値が設定される。従って、同一の設定項目の２つの設定値の組み合わせに関するフィールド３１には、後優先の禁則の組み合わせであることを示すデータ「△」が格納される。
【００５４】
図５は、実施形態に係る変更履歴情報４の一例の構成図である。
【００５５】
変更履歴情報４は、例えば図５に示すように、テーブル形式で表現される。変更履歴情報４は、順番４１のデータフィールドと、変更内容４２のデータフィールドとを含む。変更内容４２には、実際に行われた設定変更の内容を示すデータ、具体的には、設定値が変更された設定項目と当該設定項目の変更前の設定値及び変更後の設定値とを示すデータが格納される。順番４１には、変更内容４２で示される設定変更が行われた順番を示すデータが格納される。
【００５６】
例えば、図５に示す変更履歴情報４は、カラーバランス調整の設定値が設定値「ＯＦＦ」から設定値「ＯＮ」へ変更された後、カラー選択の設定値が設定値「自動カラー」から設定値「白黒」へ変更されたことを示している。
【００５７】
以下、本実施形態に係る情報処理システム１００が行う処理を説明する。本実施形態において、画像形成装置１は、図６に示すフローチャートの処理を行う。また、モバイル端末２は、図７に示すフローチャートの処理を行う。
【００５８】
図６は、実施形態に係る画像形成装置１が行う処理のフローチャートである。
【００５９】
まず、画像形成装置１の制御部１１は、画像形成装置１が第１の指示（第１の設定項目に第１の設定値を設定することの指示）をユーザーから受け付けたか否かを判定する（ステップＳ１０１）。
【００６０】
画像形成装置１が第１の指示をユーザーから受け付けていない場合（ステップＳ１０１：ＮＯ）、制御部１１は、処理をステップＳ１１１へ進める。
【００６１】
一方、画像形成装置１が第１の指示をユーザーから受け付けた場合（ステップＳ１０１：ＹＥＳ）、制御部１１は、禁則定義情報３に基づいて禁則判定を行う（ステップＳ１０２）。具体的には、制御部１１は、第１の設定値が、複数の設定項目のうちの第１の設定項目以外のいずれかの設定項目に設定されている設定値と禁則の組み合わせになるか否かを判定する。
【００６２】
禁則判定の結果が否定的である場合、すなわち、第１の設定値が、第１の設定項目以外のいずれの設定項目に設定されている設定値とも禁則の組み合わせにならないと判定した場合（ステップＳ１０２：ＮＯ）、制御部１１は、第１の設定項目に第１の設定値を設定する（ステップＳ１０３）。
【００６３】
その後、制御部１１は、データ通信Ｉ／Ｆ１３を制御して、第１の通知（一の設定項目の設定値が変更されたことを示す通知）をモバイル端末２へ送信させる（ステップＳ１０４）。第１の通知には、例えば、設定値が変更された設定項目（ここでは、第１の設定項目）、変更前の設定値、及び変更後の設定値（ここでは、第１の設定値）のそれぞれを示す情報が含められる。その後、制御部１１は、処理をステップＳ１１１へ進める。
【００６４】
一方、禁則判定の結果が肯定的である場合、具体的には、第１の設定値が第２の設定項目の第２の設定値と禁則の組み合わせになると判定した場合（ステップＳ１０２：ＹＥＳ）、制御部１１は、当該禁則の組み合わせが先優先の禁則の組み合わせであるか又は後優先の禁則の組み合わせであるかに応じて、次のように処理する。
【００６５】
すなわち、第１の設定値と第２の設定値とが先優先の禁則の組み合わせになる場合（ステップＳ１０５：ＮＯ）、制御部１１は、処理をステップＳ１１１へ進める。つまり、この場合は、制御部１１は、第１の設定項目への第１の設定値の設定を行わないようにする。
【００６６】
一方、第１の設定値と第２の設定値とが後優先の禁則の組み合わせになる場合（ステップＳ１０５：ＹＥＳ）、制御部１１は、第２の設定項目の設定値を第２の設定値以外の設定値へ変更する。その後、制御部１１は、第１の設定項目に第１の設定値を設定する（ステップＳ１０６）。
【００６７】
その後、制御部１１は、データ通信Ｉ／Ｆ１３を制御して、第１の通知をモバイル端末２へ送信させる（ステップＳ１０７）。ここで送信される第１の通知は、ステップＳ１０３で送信される第１の通知と同様である。
【００６８】
その後、制御部１１は、データ通信Ｉ／Ｆ１３を制御して、第２の通知（第１の設定値が第２の設定値と禁則の組み合わせになることを示す通知）をモバイル端末２へ送信させる（ステップＳ１０８）。第２の通知には、例えば、後設定値３３としての第１の設定値と先設定値３２としての第２の設定値との禁則の組み合わせに付与されている禁則識別番号が含められる。
【００６９】
その後、制御部１１は、画像形成装置１がモバイル端末２から第２の指示（第１の設定項目及び第２の設定項目のそれぞれの設定値を元に戻すことの指示）を受信したか否かを判定する（ステップＳ１０９）。
【００７０】
画像形成装置１がモバイル端末２から第２の指示を受信しない場合（ステップＳ１０９：ＮＯ）、制御部１１は、処理をステップＳ１１１へ進める。
【００７１】
一方、画像形成装置１がモバイル端末２から第２の指示を受信した場合（ステップＳ１０９：ＹＥＳ）、制御部１１は、変更履歴情報４に基づいて、第１の設定項目及び第２の設定項目のそれぞれの設定値を元の設定値へ戻す（ステップＳ１１０）。具体的には、制御部１１は、第１の設定項目の設定値を、第１の設定値が設定される前に第１の設定項目に設定されていた設定値へ戻す。また、制御部１１は、第２の設定項目の設定値を第２の設定値へ戻す。その後、制御部１１は、処理をステップＳ１１１へ進める。
【００７２】
ステップＳ１１１において、制御部１１は、画像形成装置１がモバイル端末２から第３の指示（第３の設定項目の設定値を変更できない状態にすることの指示）を受信したか否かを判定する。
【００７３】
画像形成装置１がモバイル端末２から第３の指示を受信しない場合（ステップＳ１１１：ＮＯ）、制御部１１は、処理をステップＳ１０１へ進め、図６に示すフローチャートの処理を繰り返して行う。
【００７４】
一方、画像形成装置１がモバイル端末２から第３の指示を受信した場合（ステップＳ１１１：ＹＥＳ）、制御部１１は、第３の設定項目の設定値を変更できない状態にする（ステップＳ１１２）。これにより、画像形成装置１の操作部１４に表示されている第３の設定項目がグレーアウトされ、ユーザーは、第３の設定項目の設定値を変更できなくなる。その後、制御部１１は、処理をステップＳ１０１へ進め、図６に示すフローチャートの処理を繰り返して行う。
【００７５】
なお、本実施形態において、モバイル端末２への第２の通知の送信は、第１の設定値と第２の設定値とが後優先の禁則の組み合わせになる場合（ステップＳ１０５：ＹＥＳ）に行われたが、当該場合に加えて、第１の設定値と第２の設定値とが先優先の禁則の組み合わせになる場合（ステップＳ１０５：ＮＯ）に行われてもよい。
【００７６】
図７は、実施形態に係るモバイル端末２が行う処理のフローチャートである。
【００７７】
まず、モバイル端末２の制御部２１は、モバイル端末２が画像形成装置１から第１の通知を受信したか否かを判定する（ステップＳ２０１）。
【００７８】
モバイル端末２が画像形成装置１から第１の通知を受信しない場合（ステップＳ２０１：ＮＯ）、制御部２１は、処理をステップＳ２０７へ進める。
【００７９】
一方、モバイル端末２が画像形成装置１から第１の通知を受信した場合（ステップＳ２０１：ＹＥＳ）、制御部１１は、一の設定項目の設定値が変更されたことを示す情報（以下「変更通知情報」という）を入出力部２４に表示させる（ステップＳ２０２）。変更通知情報は、例えば、設定変更が行われた設定項目と、当該設定項目に設定された設定値（変更後の設定値）とのそれぞれを示す情報を含む。
【００８０】
ここで、図８（ａ）は、モバイル端末２の入出力部２４に表示される、変更通知情報５１を含む表示画面の一例を示している。図８（ａ）に示す表示画面において、変更通知情報５１は、カラーバランス調整に設定値「ＯＮ」が設定されたことを示している。また、当該表示画面には、変更通知情報５１に関するさらに詳しい情報（以下「変更詳細情報」という）の表示をユーザーに指示させるためのボタン（以下「第１のボタン」）５２が設けられる。変更詳細情報は、例えば、第１の通知で通知された変更後の設定値が、どのような状況下で自動的に他の設定値に変更されるかを示す情報を含む。
【００８１】
図８（ｂ）は、第１のボタン５２が押されたときにモバイル端末２の入出力部２４に表示される、変更詳細情報５３を含む表示画面の一例を示している。図８（ｂ）に示す表示画面において、変更詳細情報５３は、カラー設定に設定値「白黒」を設定した場合に、カラーバランス調整の設定値が設定値「ＯＦＦ」へ変更されることを示している。このように、変更詳細情報５３が表示されることで、ユーザーは、その後どのような設定変更を行った場合に今回設定した設定値が自動的に変更されるかを知ることができる。よって、ユーザーは、今回設定した設定値が変更されないようにその後の設定を行えるようになる。
【００８２】
なお、変更詳細情報５３は、例えば、記憶部２２に記憶されている禁則定義情報５に基づいて、制御部２１によって作成される。図８（ｂ）に示す例では、先設定値３２としてのカラーバランス調整の設定値「ＯＮ」と後設定値３３としてのカラー選択の設定値「白黒」とが、後優先の禁則の組み合わせであるという禁則定義情報５の定義内容に基づいて、変更詳細情報５３が作成されている。
【００８３】
図７に戻り、フローチャートの説明を続ける。変更通知情報５１を入出力部２４に表示させた後、制御部２１は、モバイル端末２が画像形成装置１から第２の通知を受信したか否かを判定する（ステップＳ２０３）。
【００８４】
モバイル端末２が画像形成装置１から第２の通知を受信しない場合（ステップＳ２０３：ＮＯ）、制御部２１は、処理をステップＳ２０７へ進める。
【００８５】
一方、モバイル端末２が画像形成装置１から第２の通知を受信した場合（ステップＳ２０３：ＹＥＳ）、制御部２１は、第２の通知に含まれる禁則識別番号と、記憶部２２に記憶されている禁則定義情報５とに基づいて、第２の通知が示す禁則の内容、すなわち先設定値３２（ここでは、第２の設定項目の第２の設定値）及び後設定値３３（ここでは、第１の設定項目の第１の設定値）を特定する。
【００８６】
そして、制御部２１は、第１の設定値の設定が禁則に該当すること（本実施形態では、後優先の禁則に該当すること）を示す情報（以下「禁則通知情報」という）を入出力部２４に表示させる（ステップＳ２０４）。本実施形態において、禁則通知情報は、画像形成装置１によって設定値が自動的に変更された設定項目（第２の設定項目）、当該設定項目の変更前の設定値（第２の設定値）、及び当該設定項目の変更後の設定値のそれぞれを示す情報を含む。
【００８７】
ここで、図９（ａ）は、モバイル端末２の入出力部２４に表示される、禁則通知情報５４を含む表示画面の一例を示している。図９（ａ）に示す表示画面において、禁則通知情報５４は、第１の設定値の設定が後優先の禁則に該当したことにより、カラーバランス調整の設定値が設定値「ＯＮ」から設定値「ＯＦＦ」へ自動的に変更されたことを示している。また、当該表示画面には、禁則通知情報５４に関するさらに詳しい情報（以下「禁則詳細情報」という）の表示をユーザーに指示させるためのボタン（以下「第２のボタン」）５５が設けられる。
【００８８】
図９（ｂ）は、第２のボタン５５が押されたときにモバイル端末２の入出力部２４に表示される、禁則詳細情報５６を含む表示画面の一例を示している。図９（ｂ）に示す表示画面において、禁則詳細情報５６は、カラー設定が設定値「白黒」に設定されたため、カラーバランス調整の設定値が設定値「ＯＮ」から設定値「ＯＦＦ」へ変更されたことを示している。このように、禁則詳細情報５６が表示されることで、ユーザーは、先に設定した設定値が自動的に変更された理由を知ることができる。よって、ユーザーは、自動的に設定値が変更された設定項目を元の設定値に戻すためにどのような設定変更を行えばよいかを知ることができる。
【００８９】
図７に戻り、フローチャートの説明を続ける。禁則通知情報５４を入出力部２４に表示させた後、制御部２１は、モバイル端末２が第２の指示をユーザーから受け付けたか否かを判定する（ステップＳ２０５）。第２の指示は、例えば、図９（ｂ）に示す表示画面において、当該画面に表示される解除ボタン５７がユーザーによって押されること、或いは、図９（ａ）に示す表示画面において、禁則通知情報５４の表示領域がユーザーによってスワイプされることにより行われる。
【００９０】
モバイル端末２が第２の指示をユーザーから受け付けていない場合（ステップＳ２０５：ＮＯ）、制御部２１は、処理をステップＳ２０７へ進める。
【００９１】
一方、モバイル端末２が第２の指示をユーザーから受け付けた場合（ステップＳ２０５：ＹＥＳ）、制御部２１は、データ通信Ｉ／Ｆ部２３を制御して、第２の指示を画像形成装置１へ送信させる（ステップＳ２０６）。その後、制御部２１は、入出力部２４に表示されている表示画面を、図９（ａ）に示す表示画面或いは図９（ｂ）に示す表示画面から、図８（ａ）に示す表示画面へ変更する。そして、制御部２１は、処理をステップＳ２０７へ進める。
【００９２】
ステップＳ２０７において、制御部２１は、モバイル端末２が第３の指示をユーザーから受け付けたか否かを判定する。第３の指示は、例えば、図８（ａ）又は図９（ａ）に示す表示画面において、変更通知情報５１の表示領域がユーザーによって長押しされることにより行われる。例えば、カラーバランス調整の設定変更を示す変更通知情報５１の表示領域が長押しされた場合、第３の指示は、カラーバランス調整の設定値を変更できない状態にすることの指示となる。
【００９３】
モバイル端末２が第３の指示をユーザーから受け付けていない場合（ステップＳ２０７：ＮＯ）、制御部２１は、処理をステップＳ２０１へ進め、図７に示すフローチャートの処理を繰り返して行う。
【００９４】
一方、モバイル端末２が第３の指示をユーザーから受け付けた場合（ステップＳ２０７：ＹＥＳ）、制御部２１は、データ通信Ｉ／Ｆ部２３を制御して、第３の指示を画像形成装置１へ送信させる（ステップＳ２０８）。その後、制御部２１は、処理をステップＳ２０１へ進め、図７に示すフローチャートの処理を繰り返して行う。
【００９５】
このように、本実施形態に係る情報処理システム１００は、第１の設定値の設定が後優先の禁則に該当し、第２の設定項目の設定値が自動的に変更された場合でも、第２の指示に応じて、第２の設定項目の設定値を、第１の指示を受け付ける前に設定されていた元の設定値（第２の設定値）へ戻すことができる。従って、ユーザーは、第２の設定項目の設定値を第２の設定値に戻すために、自ら画像形成装置１を操作して、画像形成装置１の設定状態を第１の設定値の設定を指示する前の状態に戻す必要がなくなる。よって、本実施形態によれば、情報処理システム１００は、ユーザーによって指示された設定値の設定が禁則に該当する場合のユーザーの利便性を向上させることができる。
【００９６】
以上、本発明の一つの実施形態を説明したが、本発明は、この実施形態に限定されるものでなく、その要旨を逸脱しない範囲で種々変更可能である。
【符号の説明】
【００９７】
１００  情報処理システム
１      画像形成装置
１１    制御部
１２    記憶部
１３    データ通信Ｉ／Ｆ部
１４    操作部
２      モバイル端末
２１    制御部
２２    記憶部
２３    データ通信Ｉ／Ｆ部
２４    入出力部
３      禁則定義情報
４      変更履歴情報
【図１】
2016091044.tif 000003
【図２】
2016091044.tif 000004
【図３】
2016091044.tif 000005
【図４】
2016091044.tif 000006
【図５】
2016091044.tif 000007
【図６】
2016091044.tif 000008
【図７】
2016091044.tif 000009
【図８】
2016091044.tif 000010
【図９】
2016091044.tif 000011